(57)【要約】【課題】外部機器の画像出力に応じて円滑に表示動作を行う表示装置を提供する。【解決手段】投影装置（表示装置）２０は、画像を表示させる投影部（表示部）２２０と、外部端末から出力される画像の入力と連動する検出値を検出する検出部２３０と、検出部２３０で検出された検出値に基づいて投影部２２０の動作を制御する制御部２１１と、を備える。また、投影装置２０は、外部端末に対する電力の供給に用いられる給電ラインＬ１を備えるＵＳＢ端子２２（電源供給可能端子）と、外部端末から出力される画像を入力するラインＬ５であるＨＤＭＩ（登録商標）端子２１（入力端子）と、を備える。検出部２３０は、電源供給可能端子の電流及び／又は電圧を検出値として検出する。【選択図】    図２
2018054796.tif 000002
【特許請求の範囲】
【請求項１】
画像を表示する表示部と、
外部端末から出力される前記画像の入力と連動する検出値を検出する検出部と、
前記検出部で検出された検出値に基づいて、前記表示部の動作を制御する制御部と、
を備えることを特徴とする表示装置。
【請求項２】
前記外部端末に対する電力の供給に用いられる電源供給可能端子と、
前記外部端末から出力される前記画像を入力する入力端子と、
を備え、
前記検出部は、前記電源供給可能端子の電流及び／又は電圧を前記検出値として検出する、
ことを特徴とする請求項１に記載の表示装置。
【請求項３】
前記制御部は、前記表示部を動作状態、又は光源を消灯させるか減光による待機状態とする、
ことを特徴とする請求項２に記載の表示装置。
【請求項４】
前記制御部は、電流、電力又は電力量である前記検出値が、予め定められた第一閾値以上である場合に前記表示部を動作状態に切り替え、前記検出値が前記第一閾値よりも低い第二閾値以下である場合に前記表示部を待機状態に切り替えることを特徴とする請求項２又は請求項３に記載の表示装置。
【請求項５】
前記制御部は、電圧、電流の周波数又は電圧の周波数である前記検出値が、予め定められた第一閾値以上である場合に前記表示部を待機状態に切り替え、前記検出値が前記第一閾値よりも低い第二閾値以下である場合に前記表示部を動作状態に切り替えることを特徴とする請求項２又は請求項３に記載の表示装置。
【請求項６】
前記入力端子は、規格で定められたデータ転送向けの端子であることを特徴とする請求項２乃至請求項５の何れかに記載の表示装置。
【請求項７】
前記電源供給可能端子は、ＵＳＢ端子から成ることを特徴とする請求項２乃至請求項６の何れかに記載の表示装置。
【請求項８】
前記制御部は、前記入力端子から受信した前記画像の輝度分布を前記検出値として検出して画像判定する、
ことを特徴とする請求項２に記載の表示装置。
【請求項９】
前記制御部は、前記輝度分布が又は前記輝度分布の経時変化が予め定められた閾値以上異なるか判定することにより前記画像判定を行うことを特徴とする請求項８に記載の表示装置。
【請求項１０】
前記外部端末は、無線により送信端末から受信した前記画像を入力することを特徴とする請求項１乃至請求項９の何れかに記載の表示装置。
【請求項１１】
前記表示部は、前記画像を外部に投影することにより表示させることを特徴とする請求項１乃至請求項１０の何れかに記載の表示装置。
【請求項１２】
画像を表示する表示部を含む表示装置における表示方法であって、
外部端末から出力される前記画像の入力と連動する検出値を検出する第一工程と、
検出された前記検出値に基づいて、前記表示部の動作を制御する第二工程と、
を備えることを特徴とする表示方法。
【請求項１３】
画像を出力する外部端末と、
前記画像を表示させる表示部と、前記外部端末に対する電力の供給に用いられる電源供給可能端子と、前記外部端末から出力される前記画像を入力する入力端子と、前記入力端子を介して入力される前記画像の入力と連動する検出値に基づいて前記表示部の動作を制御する制御部と、を含む表示装置と、
を備える、
ことを特徴とする表示システム。
【発明の詳細な説明】
【技術分野】
【０００１】
本発明は、表示装置、この表示装置を用いた表示方法及び表示システムに関する。
【背景技術】
【０００２】
近年、無線ネットワークを活用して、ケーブルレスで画像をＰＣ（パーソナルコンピュータ）からディスプレイへ伝送するワイヤレスディスプレイアダプタや、インターネットコンテンツを再生するマルチメディアストリーミングデバイスのような表示装置の外部端末が普及している。
【０００３】
外部端末と表示装置の本体は、別々のシステムであるため、通常は、外部端末への操作と表示装置への操作は独立して行う必要がある。すると、外部端末と表示装置に対して表示を開始させるための操作を重複して行うこととなり手間が発生してしまう。そのため、外部端末と表示装置が連動して動くような利便性のある操作方法が求められている。
【０００４】
特許文献１には、画像を投影する投影部と、外部機器から投影部で投影するための信号を入力する入力部と、を備えた投影装置が開示されている。この投影装置は、外部機器が接続されたか否かを、接続端子の一部である電源ラインから電源用電圧＋５［Ｖ］の有無を検出することにより判定することができる。また、接続端子として、ＶＧＡ端子、ＨＤＭＩ（登録商標）端子、ＵＳＢ端子を用いた例が開示されている。
【先行技術文献】
【特許文献】
【０００５】
【特許文献１】特開２０１６−１６１９１６号公報
【発明の概要】
【発明が解決しようとする課題】
【０００６】
投影装置は、外部機器が使用されていない間は画像データを受信しないため、電力消費や動作音を低減させる観点からその動作を休止させることが望ましい。一方で、投影装置の電源を切ると再度使用したい場合に再スタートに時間がかかってしまう。投影の切り替え作業は、打合せ中や会議中などに行われるため、投影装置を再度利用する必要が生じた場合に、すぐに再スタートをかけることができないという不便を生ずることがある。
【０００７】
特許文献１の投影装置では、接続端子の電源用電圧の有無により外部機器が接続されたか否かを判定しているが、その外部機器が動作中の状態であるかを判別することが難しい。よって、投影装置を外部機器の画像出力と連動させて円滑に使用することが困難である。
【０００８】
本発明は、以上の点に鑑み、外部機器の画像出力に応じて円滑に表示動作を行う表示装置、表示装置の表示方法及び表示システムを提供することを目的とする。
【課題を解決するための手段】
【０００９】
本発明の光源装置は、画像を表示する表示部と、外部端末から出力される前記画像の入力と連動する検出値を検出する検出部と、前記検出部で検出された検出値に基づいて、前記表示部の動作を制御する制御部と、を備えることを特徴とする。
【００１０】
本発明の表示方法は、画像を表示する表示部を含む表示装置における表示方法であって、外部端末から出力される前記画像の入力と連動する検出値を検出する第一工程と、検出された前記検出値に基づいて、前記表示部の動作を制御する第二工程と、を備えることを特徴とする。
【００１１】
本発明の表示システムは、画像を出力する外部端末と、前記画像を表示させる表示部と、前記外部端末に対する電力の供給に用いられる電源供給可能端子と、前記外部端末から出力される前記画像を入力する入力端子と、前記入力端子を介して入力される前記画像の入力と連動する検出値に基づいて前記表示部の動作を制御する制御部と、を含む表示装置と、を備える、ことを特徴とする。
【発明の効果】
【００１２】
本発明によれば、外部機器の画像出力に応じて円滑に表示動作を行う表示装置、表示装置の表示方法及び表示システムを提供することができる。
【図面の簡単な説明】
【００１３】
【図１】本発明の実施形態に係る投影システムを示す図である。
【図２】本発明の実施形態に係る投影装置の機能ブロックを示す図である。
【図３】本発明の実施形態に係る投影装置の処理フローチャートを示す図である。
【図４】本発明の実施形態に係る投影装置のＵＳＢ端子の電流の状態を示す図である。
【図５】本発明の実施形態に係るＰＣ、外部端末及び投影装置からの画像の出力状態を示す図である。
【発明を実施するための形態】
【００１４】
図１は、投影システム１０を示す図である。投影システム（表示システム）１０には、表示装置である投影装置２０、投影装置２０に接続される外部端末３０、画像データの送信端末であるＰＣ（パーソナルコンピュータ）４０、が含まれる。ＰＣ４０と外部端末３０とは、無線により画像データの送受信を行う。外部端末３０は、ＰＣ４０から受信した画像データを投影装置２０に出力する。投影装置２０は、スクリーン５１に対して外部端末３０から受信した画像データを投影して表示させる。
【００１５】
外部端末３０は本体部３１と給電プラグ３２とを有する。本体部３１は、投影装置２０のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子（入力端子）２１と接続されて、投影装置２０に画像データを送信する。また、給電プラグ３２は、投影装置２０のＵＳＢ（Ｕｎｉｖｅｒｓａｌ  Ｓｅｒｉａｌ  Ｂｕｓ）端子（電源供給可能端子）２２と接続される。本体部３１は、ＵＳＢ端子２２からの給電により駆動する。
【００１６】
投影装置２０は、外部端末３０からＨＤＭＩ端子２１を介して入力された画像データをスクリーン５１等の表示部に投影し、画像５２を表示させる。よって、投影システム１０は、ＰＣ４０に表示させた画像をスクリーン５１に表示させるミラーリングを行うことができる。
【００１７】
なお、ＰＣ４０が外部端末３０や投影装置２０に送信するデータは、画像データに限らず、音声データや制御データなどの他のデータを含めることができる。これにより、投影装置２０は、音声を出力したり、ＰＣ４０からの指示に従った動作を行うことが出来る。また、外部端末３０は、図示しない送信端末である無線ルータ等の基地局から無線により画像データや音声データなどを受信し、そのデータを投影装置２０に出力する構成としてもよい。
【００１８】
図２は、投影装置２０の機能ブロックを示す図である。投影装置２０は、システム２１０、投影部（表示部）２２０、検出部２３０、電源２４０、を備える。システム２１０は、画像データの処理等を行う制御部２１１と、ＨＤＭＩ端子２１から入力ラインＬ５を介して入力された画像データを受信するレシーバ２１２と、を含む。なお、システム２１０には、投影装置２０内の温度を監視する温度センサ、内部を冷却するためのファン等のその他の機能部を含むことができる。
【００１９】
投影部２２０は、システム２１０で処理された画像データに基づく画像を外部に投影する。投影部２２０には、投影光を発生させるための光源、光源から出射される光を導光するためのミラーやレンズ等の光学部材、投影画像を形成するためのＤＭＤ（Ｄｉｇｉｔａｌ  Ｍｉｃｒｏｍｉｒｒｏｒ  Ｄｅｖｉｃｅ）等の表示素子が含まれる。
【００２０】
投影装置２０は、ＨＤＭＩ端子２１と、ＵＳＢ端子２２と、を備える。レシーバ２１２は、ＨＤＭＩ端子２１から入力ラインＬ５を介して入力された、画像データ、音声データ、制御信号等のデータ、を受信する。なお、入力ラインＬ５は、ＨＤＭＩ端子２１のデータ通信用のラインを簡略化して示しており、ＨＤＭＩ端子２１は、電源ライン、グランドライン等の他の配線を含んでいる。
【００２１】
ＵＳＢ端子２２は、主に外部端末３０（図１参照）に対する電力の給電に用いられる。ＵＳＢ端子２２は、内部の配線として、給電ラインＬ１、データラインＬ２，Ｌ３、グランドラインＬ４を有している。このうち、給電ラインＬ１は、グランドラインＬ４との間によって定電圧源を構成し、投影装置２０へ接続される外部端末３０に給電する機能を有している。データラインＬ２，Ｌ３は、本実施形態では使用例は示さないが、投影装置２０と接続される機器とのデータ通信に用いられる。
【００２２】
検出部２３０は、ＵＳＢ端子２２の給電ラインＬ１を流れる電流を検出する。ＵＳＢ端子２２に機器が接続されていない場合、給電ラインＬ１の出力端は開放されるため電流値は略０［Ａ］となる。また、ＵＳＢ端子２２に機器が接続されていた場合であっても、その機器の動作が行われていない場合は、給電ラインＬ１に流れる電流は略０［Ａ］又は小さい値となる。一方、ＵＳＢ端子２２に機器が接続された場合、その機器の負荷の大きさ（すなわち消費電力の大きさ）によって電流が流れるため、給電ラインＬ１に流れる電流の値は増加する。
【００２３】
電源２４０は、投影装置２０のシステム２１０、投影部２２０、検出部２３０に対し電力を供給する。また、電源２４０は、ＨＤＭＩ端子２１やＵＳＢ端子２２に対して図示しないレギュレータ部を介して各規格に対応した電圧源又は電流源として機能する。なお、制御部２１１は、電源２４０の動作を監視したり、制御することもできる。
【００２４】
図３は、投影装置２０の検出部２３０、制御部２１１による処理フローチャートを示す図である。本フローチャートの処理は、ユーザが投影装置２０の電源を投入した場合や、ユーザが投影装置２０の動作を外部端末３０と連動させるモードに切り替えた場合に実行される。ここでは、初期の状態で、投影装置２０は外部端末３０から画像データを受信しておらず、外部端末３０の負荷が小さい場合について説明する。
【００２５】
ステップＳ１１０で、検出部２３０は、外部端末から表示対象の画像の入力と連動する検出値を検出する。そして、制御部２１１は、投影装置２０の投影部２２０やシステム２１０の現在の状態が、待機状態であるか動作状態であるかを判定する。投影装置２０の状態は、適宜の記憶部に記憶された内部状態を示すフラグを、検出部２３０が参照することにより判定することができる。または、制御部２１１により給電ラインＬ１の電流値が予め定めた閾値（例えば後述する図４のオフ閾値（第二閾値）Ｓ２）以下である場合に待機状態であると判定してもよい。ステップＳ１１０で投影装置２０が待機状態であると判定された場合、検出部２３０は、ステップＳ１２０の処理に進む。ステップＳ１１０で投影装置２０が動作状態であると判定された場合、制御部２１１は、ステップＳ１４０の処理に進む。
【００２６】
ステップＳ１２０で、検出部２３０は、給電ラインＬ１の電流を検出する。そして、制御部２１１は、給電ラインＬ１の電流値が、オフ閾値（第二閾値）Ｓ２より値の大きい予め定められたオン閾値（第一閾値）以上であるか否かを判定する。
【００２７】
ここで、図４及び図５を参照して、給電ラインＬ１の電流値の判定について説明する。図４は、ＵＳＢ端子２２の給電ラインＬ１の電流Ｃの状態を示す図である。また、図５は、ＰＣ４０、外部端末３０及び投影装置２０からの画像の出力状態を示す図である。
【００２８】
外部端末３０の状態には、画像の処理や再生（出力）をしない待機状態と、画像の処理や再生をする動作状態がある。具体的に、初期状態では、図５に示すようにＰＣ４０の出力状態６１０が、外部端末３０に対して画像データ等を送信しない切断中の状態である。そのため、外部端末３０はデータの送受信処理を行わない待機状態である。このとき、図５に示すように、外部端末３０は、待機状態であることを示す標準画像６ａを外部端末３０の出力画像６２０として入力ラインＬ５を介して投影装置２０に出力することができる。標準画像６ａは、外部端末３０内に予め記憶させておくことができる。
【００２９】
一般的に、外部端末３０はＰＣ４０との通信や内部におけるグラフィック処理を行う動作状態では消費電力は高くなり、定電圧源の正極として設けられた給電ラインＬ１を流れる電流Ｃ（図４参照）が大きくなる。本実施形態の外部端末３０は、待機状態において標準画像６ａを投影装置２０へ出力しているが、標準画像６ａは負荷の高い画像処理等が必要ないために給電ラインＬ１の電流Ｃは小さい。よって、初期状態である図４のタイミングＴ０からタイミングＴ１において、外部端末３０に対して給電ラインＬ１を流れる電流Ｃは、オン閾値Ｓ１の値より小さくなる。
【００３０】
このように、図３のステップＳ１２０で、制御部２１１は、給電ラインＬ１の電流値がオン閾値Ｓ１以上であると判定しない場合（ステップＳ１２０，Ｎｏ）、ステップＳ１２０の処理を繰り返す。
【００３１】
また、外部端末３０が待機状態であると判定されているため、システム２１０及び投影部２２０は待機状態（投影オフ）となり、投影装置２０の出力画像６３０（図５参照）は投影画像７ａのようになる。つまり投影装置２０は、外部端末３０から入力された標準画像６ａを出力する動作を行わない。
【００３２】
一方、図３のステップＳ１２０で、制御部２１１が、給電ラインＬ１の電流値がオン閾値Ｓ１以上であると判定した場合（ステップＳ１２０，Ｙｅｓ）、ステップＳ１３０の処理に進む。
【００３３】
具体的に、図４のタイミングＴ１でＰＣ４０の出力状態６１０がミラーリング中に移ると、ＰＣ４０は、ＰＣ４０の表示部に表示されている画像データを外部端末３０に送信する。外部端末３０は、ＰＣ４０と通信等の処理を行っているため、電力消費が多い状態に遷移する。外部端末３０の投影装置２０への出力画像６２０は表示対象の画像６ｂとなり、外部端末３０はこの画像６ｂをＨＤＭＩ端子２１の入力ラインＬ５を介して投影装置２０に出力する。外部端末３０の消費電力が増加すると、給電ラインＬ１を流れる電流Ｃは、図４のタイミングＴ２において、給電ラインＬ１を流れる電流Ｃがオン閾値Ｓ１以上となる。
【００３４】
ステップＳ１３０で、制御部２１１は、システム２１０及び投影部２２０を駆動させる指示を電源２４０に送信し、システム２１０及び投影部２２０を動作状態に遷移させる。よって、投影部２２０は、外部端末３０から受信した画像６ｂのデータをスクリーン５１に投影し、投影装置２０の出力画像６３０は表示対象の画像７ｂとなる。このように、投影装置２０はＰＣ４０に表示された表示対象である画像をスクリーン５１に表示させるミラーリング処理を実行することができる。
【００３５】
その後、図４のタイミングＴ３において、給電ラインＬ１の電流値は負荷の大きさに応じた定常状態となる。
【００３６】
ステップＳ１４０で、検出部２３０は、給電ラインＬ１の電流を検出する。そして制御部２１１は、給電ラインＬ１の電流値が予め定められたオフ閾値（第二閾値）Ｓ２以下であるかを判定する。
【００３７】
制御部２１１は、給電ラインＬ１の電流値がオフ閾値Ｓ２以下であると判定した場合（ステップＳ１４０，Ｙｅｓ）、ステップＳ１５０の処理に進む。具体的に、図４のタイミングＴ４で、ＰＣ４０の出力状態６１０は、外部端末３０への画像の送信を停止させる切断中となる。すると外部端末３０は、投影装置２０への出力画像６２０が待機中を示す標準画像６ａとなり、消費電力が少ない状態に遷移する。よって、図４に示す給電ラインＬ１を流れる電流Ｃは、タイミングＴ５において、オフ閾値Ｓ２の値以下となる。
【００３８】
一方、ステップＳ１４０で、制御部２１１は、給電ラインＬ１の電流値がオフ閾値以下であると判定しない場合（ステップＳ１４０，Ｎｏ）、ステップＳ１４０の処理を繰り返す。
【００３９】
ステップＳ１５０で、制御部２１１は、システム２１０及び投影部２２０の動作を停止又は一部の機能を停止させる。したがって、投影装置２０の出力画像６３０は、光源を消灯させるか減光を行った投影画像７ａとなり、電力消費量を低減させた状態となる。このように、投影装置２０によるミラーリング動作は停止する。その後、タイミングＴ６において、給電ラインＬ１の電流Ｃの値は小さくなり略定常状態となる。ステップＳ１５０の後、制御部２１１は、ステップＳ１２０の処理を行う。
【００４０】
図４の例では、タイミングＴ６の後、タイミングＴ７において再びミラーリングを開始するため電流値が増加し始める。タイミングＴ７、Ｔ８、Ｔ９の動作については、それぞれ前述のタイミングＴ１、Ｔ２、Ｔ３と同様である。このように、投影装置２０は、タイミングＴ０〜Ｔ２及びタイミングＴ５〜Ｔ８において投影動作６４０をオフとし、タイミングＴ２〜Ｔ５及びタイミングＴ８以降において投影動作６４０をオンとすることができる。
【００４１】
なお、ユーザが投影装置２０の使用を停止した場合や投影装置２０の動作を外部端末３０と連動しないモードに切り替えた場合、図３に示すフローチャートの処理は終了する。
【００４２】
以上、本実施形態では、ステップＳ１２０及びステップＳ１４０で検出する検出値として、給電ラインＬ１を流れる電流の値を用いたが、電流の代わりに給電ラインＬ１における電圧の値、負荷である外部端末３０の消費電力や消費電力量を用いてもよい。
【００４３】
電圧の値を検出値として用いる場合、検出部２３０は、給電ラインＬ１とグランドラインＬ４の線間電圧を検出することができる。また、消費電力の値を検出値として用いる場合、制御部２１１は、給電ラインＬ１の電流値と、給電ラインＬ１とグランドラインＬ４の線間電圧により電力の値を求めることができる。さらに、消費電力量の値を検出値として用いる場合、制御部２１１は、その求めた電力と、投影装置２０内の適宜の計時部により計測した外部端末３０の動作時間とにより、電力量の値を求めることができる。
【００４４】
また、直流定電圧源の出力端子である給電ラインＬ１には、交流成分が含まれることがある。したがって、検出部２３０は、検出値として電流又は電圧の周波数を用いることができる。
【００４５】
また、検出値として電圧、電力、電力量、電流の周波数又は電圧の周波数の値を用いる場合、制御部２１１は図４に示した電流と同様、ステップＳ１２０では検出値がオン閾値Ｓ１以上となった場合にステップＳ１３０へ進み、ステップＳ１４０では検出値がオフ閾値Ｓ２以下となった場合にステップＳ１５０へ進む処理を行うことができる。あるいは、外部端末３０や投影装置２０の給電構成に応じてオン閾値をオフ閾値より低い値とし、制御部２１１は、検出値がオン閾値以下となった場合に投影装置２０を動作状態（投影オン）へ遷移させ、検出値がオフ閾値以上となった場合に投影装置を待機状態（投影オフ）へ遷移させる処理を行うことができる。
【００４６】
また、閾値として、オン閾値Ｓ１及びオフ閾値Ｓ２の二つを用いたが、待機状態であるか動作状態であるかの判定用の閾値を一つ定めて判定してもよい。この場合、制御部２１１は、検出値がその閾値以上である場合に投影装置２０を動作状態（投影オン）とし、検出値がその閾値より小さい場合に投影装置２０を待機状態（投影オフ）とする処理を行うことができる。
【００４７】
また、電流、電圧、電流又は電圧の周波数、電力、電力量のうちの複数を判定値として組み合わせて利用してもよい。制御部２１１は、複数の種類の判定値を用いる場合、各判定値のいずれかが判定基準を満たした場合に投影装置２０を待機状態から動作状態へ又は動作状態から待機状態へ遷移させることができる。あるいは、制御部２１１は、各検出値の値に重み付けして加算した値をステップＳ１２０やステップＳ１４０の判定用の値として用いてもよい。
【００４８】
このように、投影装置２０は、ＵＳＢ端子２２から外部端末３０に対して供給する電流等を監視することにより、外部端末３０が待機状態であるか、動作状態であるかを判定することができる。それにより、制御部２１１は、待機状態ではシステム２１０を低水準で動作させ、主として投影光を消灯させて外部からは投影装置２０がスタンバイ状態に見えるように遷移させる。ユーザがミラーリングを再開させた際には、投影装置２０内のシステム２１０及び投影部２２０の動作をオン状態とすることで、必要なときに投影装置２０を動作させることができる。
【００４９】
（実施形態２）
つぎに、実施形態２について説明する。実施形態１では、給電ラインＬ１の電流や電圧の値又はこれに基づいた電力等の値を検出値として用いたが、本実施形態では、外部端末３０から投影装置２０に入力される画像を検出値としてレシーバ２１２で解析することにより画像判定して、ステップＳ１１０、Ｓ１２０及びＳ１４０の判定を行うことができる。すなわち、本実施形態のレシーバ２１２は、外部端末３０の状態を判定するための検出部として機能する。
【００５０】
画像の輝度分布を検出値として用いた判定方法について説明する。外部端末３０は、ＰＣ４０から画像データを受信しない場合、図５に示した標準画像６ａを投影装置２０に対して送信する。レシーバ２１２は、入力された画像が標準画像６ａであると判定した場合又は画像が入力されない場合に、外部端末３０が待機状態であると判定し、入力された画像が標準画像６ａであると判定しない場合に外部端末３０が動作状態であると判定する。なお標準画像６ａは、外部端末３０に予め記憶されている。
【００５１】
標準画像６ａであるかの判定方法について、レシーバ２１２は、標準画像６ａの輝度分布のばらつきが少ない場合、入力された画像が標準画像６ａであると判定することができる。つまり標準画像６ａとして、輝度分布のばらつきが少ない画像が外部端末３０に用いられていれば、輝度分布による判定方法を有効に行うことができる。
【００５２】
ある画素の輝度値としては、画素を構成するＲＧＢ（赤、緑、青）の各輝度値をＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）加重平均法等の任意の方法によりグレースケールに変換した値を用いることができる。輝度の比較単位としては、輝度を画素毎に比較してもよいし、画像の全体を分割した区画内の平均輝度値同士を比較してもよい。区画数は、８分割、９分割、１６分割とすることができる。
【００５３】
また、レシーバ２１２は、外部端末３０から入力された画像の輝度の経時的な変化を検出して、その変化の量が予め定められた閾値以内である場合に、入力された画像が標準画像６ａであると判定することができる。
【００５４】
さらに、レシーバ２１２は、投影装置２０は、適宜の記憶部に外部端末３０の標準画像６ａを記憶させておくことができる。レシーバ２１２は、外部端末３０から入力された画像を検出値として用い、記憶部内の画像と比較して標準画像６ａか否か判定してもよい。レシーバ２１２は、外部端末３０から画像が入力されない場合又は外部端末３０から入力された画像が標準画像６ａであると判定した場合に、外部端末３０が待機状態であると判定する。レシーバ２１２は、標準画像６ａ以外の画像が外部端末３０から入力された場合には、外部端末３０が動作状態であると判定することができる。
【００５５】
なお、実施形態２の画像を用いた外部端末３０の状態の判定方法は、実施形態１の給電ラインＬ１を用いた外部端末３０の状態の判定方法と組み合わせて適用してもよい。
【００５６】
以上本実施形態では、表示装置として、投影装置２０を例に説明したが、表示部と描画処理を行う本体部が一体となったモニタを用いてもよい。また、ＨＤＭＩ端子２１やＵＳＢ端子２２は、多くの表示素子に設けられている。そのため、本実施形態の投影方法及び投影システムは、投影装置２０に限らず他の表示方法及び表示システム容易に広く適用させることができる。
【００５７】
また、外部端末３０は、給電ラインＬ１を備えたＵＳＢ端子２２及び入力ラインＬ５を備えたＨＤＭＩ端子２１により有線接続される構成としてもよい。
【００５８】
また、本実施形態の説明ではＨＤＭＩ端子２１のデータ転送向けの端子として用いたが、規格化されたデータ転送向けの端子であって給電に十分利用することが困難な他の端子をデータ転送に用いた場合であれば、本実施形態の構成をより有効に適用することができる。
【００５９】
また、各実施形態に示した投影装置２０における表示方法は、外部端末３０から出力される画像と連動する検出値を検出する第一工程と、検出された検出値に基づいて、投影部２２０等の表示部の動作を制御する第二工程とを備える（図３参照）。
【００６０】
以上の通り、本実施形態の投影装置２０、投影システム１０及び表示方法は、画像を表示したいときだけ投影装置２０の光源をオンさせ、表示が不要なときは投影装置２０のシステム２１０や投影部２２０をオフとすることで、消費電力を低減させて長期的にはランニングコストを低減させる効果等を期待することができる。また、待機状態の投影装置２０は、低電力の動作となるため、内部の冷却ファンの動作や投影部２２０の投影をオフとすることにより、会議、ミーティング、授業等において、会話、議論又は学習への集中の妨げを低減させることができる。このように、投影装置２０、投影装置２０の表示方法及び投影システム１０は、外部機器の画像出力に応じて円滑に表示動作を行うことができる。
【００６１】
検出部２３０が、給電ラインＬ１の電流及び／又は電圧を検出値として検出する投影装置２０は、外部端末３０と特別な制御信号の送受信を行うことなく、外部端末３０の動作状態を検出することができる。よって、外部端末３０は投影装置２０に対応した専用のプログラムを備えることなく、本実施形態の構成を容易に適用させることができる。
【００６２】
電流、電力又は電力量である検出値が、予め定められた第一閾値以上である場合に表示部を動作状態に切り替え、検出値が第一閾値よりも低い第二閾値より小さい場合に表示部を待機状態に切り替える投影装置２０は、負荷の大きさによって給電ラインＬ１の電圧の変動が少ない場合でも、外部端末３０の動作状態の検出を容易に行うことができる。
【００６３】
電圧、電流の周波数又は電圧の周波数である検出値が、予め定められた第一閾値以上である場合に表示部を待機状態に切り替え、検出値が第一閾値よりも低い第二閾値より小さい場合に表示部を動作状態に切り替える投影装置２０は、負荷の大きさによって給電ラインＬ１の電圧の変動が変動する、又は、電流の変動が少ない場合でも、外部端末３０の動作状態の検出を容易に行うことができる。
【００６４】
入力ラインＬ５が規格で定められたデータ転送向けの端子に形成される投影装置２０は、給電ラインを備えない端子であってもデータを入力させることができる。
【００６５】
給電ラインＬ１がＵＳＢ端子２２に形成された投影装置２０は、ＵＳＢ端子が様々な仕様の装置に汎用的に設けられているため、本実施形態の構成を様々な装置に容易に適用させることができる。また、外部端末３０が電力供給のために投影装置２０以外の機器と接続させる専用配線が不要であるため、少ない空間で給電用の配線を行うことができる。
【００６６】
検出部が入力ラインＬ５から受信した画像の輝度分布を検出値として検出して画像判定する投影装置２０は、投影装置２０から外部端末３０の電力供給を受けない構成であっても、専用の制御信号の送受信を行うことなく外部端末３０の動作状態を検出することができる。
【００６７】
検出部は、輝度分布が又は輝度分布の経時変化が予め定められた閾値以上異なるか判定することにより画像判定を行う投影装置２０は、表示対象の画像が入力されたことを容易に検出することができる。
【００６８】
外部端末３０が無線により送信端末（ＰＣ４０等）から受信した画像を入力する投影装置２０は、離れた位置に設置された送信端末の画像を容易に表示させることができる。
【００６９】
表示部（投影部２２０、スクリーン５１）が画像を外部に投影することにより表示させる投影装置２０は、画像表示面と表示装置が離れた位置に配置されていても、外部端末３０の画像表示を容易に行うことができる。
【００７０】
また、以上説明した各実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００７１】
以下に、本願出願の最初の特許請求の範囲に記載された発明を付記する。
［１］
画像を表示する表示部と、
外部端末から出力される前記画像の入力と連動する検出値を検出する検出部と、
前記検出部で検出された検出値に基づいて、前記表示部の動作を制御する制御部と、
を備えることを特徴とする表示装置。
［２］
前記外部端末に対する電力の供給に用いられる電源供給可能端子と、
前記外部端末から出力される前記画像を入力する入力端子と、
を備え、
前記検出部は、前記電源供給可能端子の電流及び／又は電圧を前記検出値として検出する、
ことを特徴とする前記［１］に記載の表示装置。
［３］
前記制御部は、前記表示部を動作状態、又は光源を消灯させるか減光による待機状態とする、
ことを特徴とする前記［２］に記載の表示装置。
［４］
前記制御部は、電流、電力又は電力量である前記検出値が、予め定められた第一閾値以上である場合に前記表示部を動作状態に切り替え、前記検出値が前記第一閾値よりも低い第二閾値以下である場合に前記表示部を待機状態に切り替えることを特徴とする前記［２］又は前記［３］に記載の表示装置。
［５］
前記制御部は、電圧、電流の周波数又は電圧の周波数である前記検出値が、予め定められた第一閾値以上である場合に前記表示部を待機状態に切り替え、前記検出値が前記第一閾値よりも低い第二閾値以下である場合に前記表示部を動作状態に切り替えることを特徴とする前記［２］又は前記［３］に記載の表示装置。
［６］
前記入力端子は、規格で定められたデータ転送向けの端子であることを特徴とする前記［２］乃至前記［５］の何れかに記載の表示装置。
［７］
前記電源供給可能端子は、ＵＳＢ端子から成ることを特徴とする前記［２］乃至前記［６］の何れかに記載の表示装置。
［８］
前記制御部は、前記入力端子から受信した前記画像の輝度分布を前記検出値として検出して画像判定する、
ことを特徴とする前記［２］に記載の表示装置。
［９］
前記制御部は、前記輝度分布が又は前記輝度分布の経時変化が予め定められた閾値以上異なるか判定することにより前記画像判定を行うことを特徴とする前記［８］に記載の表示装置。
［１０］
前記外部端末は、無線により送信端末から受信した前記画像を入力することを特徴とする前記［１］乃至前記［９］の何れかに記載の表示装置。
［１１］
前記表示部は、前記画像を外部に投影することにより表示させることを特徴とする前記［１］乃至前記［１０］の何れかに記載の表示装置。
［１２］
画像を表示する表示部を含む表示装置における表示方法であって、
外部端末から出力される前記画像の入力と連動する検出値を検出する第一工程と、
検出された前記検出値に基づいて、前記表示部の動作を制御する第二工程と、
を備えることを特徴とする表示方法。
［１３］
画像を出力する外部端末と、
前記画像を表示させる表示部と、前記外部端末に対する電力の供給に用いられる電源供給可能端子と、前記外部端末から出力される前記画像を入力する入力端子と、前記入力端子を介して入力される前記画像の入力と連動する検出値に基づいて前記表示部の動作を制御する制御部と、含む表示装置と、
を備える、
ことを特徴とする表示システム。
【符号の説明】
【００７２】
６ａ      標準画像                      ６ｂ      画像
７ａ      投影画像                      ７ｂ      画像
１０      投影システム                  ２０      投影装置
２１      ＨＤＭＩ端子（入力端子）      ２２      ＵＳＢ端子（電源供給可能端子）
３０      外部端末                      ３１      本体部
３２      給電プラグ                    ５１      スクリーン
５２      画像
２１０    システム                      ２１１    制御部
２１２    レシーバ                      ２２０    投影部
２３０    検出部                        ２４０    電源
６１０    出力状態                      ６２０    出力画像
６３０    出力画像                      ６４０    投影動作
Ｃ        電流                          Ｌ１      給電ライン
Ｌ２      データライン                  Ｌ３      データライン
Ｌ４      グランドライン                Ｌ５      入力ライン
Ｓ１      オン閾値（第一閾値）          Ｓ２      オフ閾値（第二閾値）
Ｔ０〜Ｔ９      タイミング
【図１】
2018054796.tif 000003
【図２】
2018054796.tif 000004
【図３】
2018054796.tif 000005
【図４】
2018054796.tif 000006
【図５】
2018054796.tif 000007